(57)【要約】【課題】評価項目が多数あっても、評価項目の環境負荷データの入力漏れがなく、正しい環境負荷評価演算を行われるようにするための製品アセスメントデータ入力支援システムを提供する。【解決手段】評価すべき製品と、評価項目に対応する環境負荷データ入力画面とを関連付ける評価項目関連付けデータを予め記憶しておき、環境負荷データ入力画面に基づいて入力された環境負荷データを評価すべき製品と関連付けて記憶装置にストアする。入力された環境負荷データと、評価項目毎に予め決められた基準データとを比較して製品アセスメント適合性チェックリストを生成し、評価項目関連付けデータに基づき、評価すべき製品について入力すべき環境負荷データが入力されていない項目があるか否かを判定する。【選択図】図８
2004110674.tif 000002
【特許請求の範囲】
【請求項１】
環境負荷データの入力を支援するための製品アセスメントデータ入力支援装置であって、
評価すべき製品と、評価項目に対応する環境負荷データ入力画面とを関連付ける評価項目関連付けデータを含む記憶手段と、
前記環境負荷データ入力画面に基づいて入力された環境負荷データを前記評価すべき製品と関連付けて入力するための環境負荷データ入力手段と、
前記環境負荷データ入力手段によって入力された環境負荷データと、前記評価項目毎に予め決められた基準データとを比較して製品アセスメント適合性チェックリストを生成する適合性チェックリスト生成手段と、
前記評価項目関連付けデータに基づき、前記評価すべき製品について入力すべき前記環境負荷データが入力されていない項目があるか否かを判定する環境負荷データ入力判定手段と、を有することを特徴とする製品アセスメントデータ入力支援装置。
【請求項２】
さらに、前記環境負荷データ入力判定手段によって、前記評価すべき製品について入力すべき前記環境負荷データが入力されていないと判定された場合、前記環境負荷データが入力されていないことを、表示装置に表示させるための未入力表示手段とを有することを特徴とする請求項１に記載の製品アセスメントデータ入力支援装置。
【請求項３】
さらに、前記未入力表示手段は、未入力の評価項目に関する前記環境負荷データ入力画面の名称又は識別コードを表示するようにしたことを特徴とする請求項２に記載の製品アセスメントデータ入力支援装置。
【請求項４】
前記環境負荷データ入力手段によって入力された前記環境負荷データは、前記製品アセスメント適合性チェックリスト中のデータと関連付けられており、前記製品アセスメント適合性チェックリスト中には、関連付けられた前記環境負荷データと前記基準データに基づいて判定された判定結果データが含まれることを特徴とする請求項１、請求項２又は請求項３に記載の製品アセスメントデータ入力支援装置。
【請求項５】
環境負荷データの入力を支援するための製品アセスメントデータ入力支援方法であって、
評価すべき製品と、評価項目に対応する環境負荷データ入力画面とを関連付ける評価項目関連付けデータを予め記憶しておき、
前記環境負荷データ入力画面に基づいて入力された環境負荷データを前記評価すべき製品と関連付けて記憶装置にストアし、
入力された前記環境負荷データと、前記評価項目毎に予め決められた基準データとを比較して製品アセスメント適合性チェックリストを生成し、
前記評価項目関連付けデータに基づき、前記評価すべき製品について入力すべき前記環境負荷データが入力されていない項目があるか否かを判定することを特徴とする製品アセスメントデータ入力支援方法。
【請求項６】
ネットワークに接続された端末装置における環境負荷データの入力を支援するための製品アセスメントデータ入力支援システムであって、
評価すべき製品と、評価項目に対応する環境負荷データ入力画面とを関連付ける評価項目関連付けデータを含む記憶手段と、
前記環境負荷データ入力画面に基づいて入力された環境負荷データを前記評価すべき製品と関連付けて、前記端末装置において入力するための環境負荷データ入力手段と、
前記環境負荷データ入力手段によって入力された環境負荷データと、前記評価項目毎に予め決められた基準データとを比較して製品アセスメント適合性チェックリストを生成する適合性チェックリスト生成手段と、
前記評価項目関連付けデータに基づき、前記評価すべき製品について入力すべき前記環境負荷データが入力されていない項目があるか否かを判定する環境負荷データ入力判定手段と、を有することを特徴とする製品アセスメントデータ入力支援システム。
【請求項７】
環境負荷データの入力を支援するための製品アセスメントデータ入力支援を行うプログラムであって、
コンピュータに、
環境負荷データ入力画面に基づいて入力された環境負荷データを評価すべき製品と関連付けて記憶装置にストアする機能と、
入力された前記環境負荷データと、予め決められた基準データとを比較して製品アセスメント適合性チェックリストを生成する機能と、
前記評価すべき製品と、評価項目に対応する前記環境負荷データ入力画面とを関連付ける評価項目関連付けデータに基づき、前記評価すべき製品について入力すべき前記環境負荷データが入力されていない項目があるか否かを判定する機能を実現させるためのプログラム。
【請求項８】
請求項７に記載のプログラムを記録した記録媒体。
【発明の詳細な説明】
【０００１】
【発明の属する技術分野】
本発明は、製品アセスメントデータ入力支援装置、製品アセスメントデータ入力支援方法、製品アセスメントデータ入力支援システム、プログラム及び記録媒体に関し、特に、環境負荷データの入力を支援するための製品アセスメントデータ入力支援装置、製品アセスメントデータ入力支援方法、製品アセスメントデータ入力支援システム、プログラム及び記録媒体に関する。
【０００２】
【従来の技術】
従来より、環境への負荷の少ない製品を市場に提供するために、多くの企業が、製品の環境に対する負荷を評価する製品アセスメントを実施している。企業は、生産し市場に供給する製品について、有害物質の使用量、資源のリサイクル率等について環境負荷評価を行い、その評価結果を製品設計に利用し、企業活動における環境負荷低減を推進している。
【０００３】
製品アセスメントを行う場合、予め決められた項目について、旧製品と新製品を評価し、全ての項目の環境負荷データを集計し、総和を求めることによって、旧製品の環境負荷値と新製品の環境負荷値が比較される。新製品については、旧製品よりも環境負荷値を低くする設計をするように、企業努力が継続されていく。
【０００４】
環境負荷評価を行うシステムとして、製品の生産から廃棄に至るライフサイクル全体に亘り、環境負荷を評価するライフサイクルアセスメント（ＬＣＡ）等の環境負荷評価を行う環境負荷評価装置が、提案されている（例えば、特許文献１参照）。その環境負荷評価装置では、製品のライフサイクルが、製品をルートとして、複数の単位工程からなる木構造により記述される。それによって、各単位工程の環境負荷値の算出容易性と、データの再利用性の向上等を図っている。
【０００５】
【特許文献１】
特開平７−３１１７６０号公報（第４頁、図２）
【０００６】
【発明が解決しようとする課題】
しかし、最近、製品アセスメントを行う際の評価項目の対象としての、例えば、製造工程において使用される化学物質、使用禁止物質等が増えてきているため、評価項目数が多くなってきている。評価項目数が少ないときは、紙に記された評価項目毎に環境負荷値を記入し、集計を行う作業は容易であるが、評価項目が多くなると、評価用紙の枚数も増え、集計作業も繁雑になり、データの集計漏れも発生しやすくなる。データの集計に漏れがあると、環境負荷評価が正しく行われなくなってしまう。
【０００７】
また、上述した特開平７−３１１７６０号明細書に記載の環境負荷評価装置は、コンピュータを用いているため、データの集計を確実に行うことはできる。しかし、データの入力漏れがあると集計値は低くなり、演算される環境負荷評価値が正しくなくなってしまうという問題が生じる。
【０００８】
そこで、本発明は、評価項目が多数あっても、評価項目の環境負荷データの入力漏れがなく、正しい環境負荷評価演算を行われるようにするための製品アセスメントデータ入力支援システムを提供することを目的とする。
【０００９】
【課題を解決するための手段】
本発明の製品アセスメントデータ入力支援装置は、環境負荷データの入力を支援するための製品アセスメントデータ入力支援装置であって、評価すべき製品と、評価項目に対応する環境負荷データ入力画面とを関連付ける評価項目関連付けデータを含む記憶手段と、前記環境負荷データ入力画面に基づいて入力された環境負荷データを前記評価すべき製品と関連付けて入力するための環境負荷データ入力手段と、前記環境負荷データ入力手段によって入力された環境負荷データと、前記評価項目毎に予め決められた基準データとを比較して製品アセスメント適合性チェックリストを生成する適合性チェックリスト生成手段と、前記評価項目関連付けデータに基づき、前記評価すべき製品について入力すべき前記環境負荷データが入力されていない項目があるか否かを判定する環境負荷データ入力判定手段とを有する。
【００１０】
本発明の製品アセスメントデータ入力支援方法は、環境負荷データの入力を支援するための製品アセスメントデータ入力支援方法であって、評価すべき製品と、評価項目に対応する環境負荷データ入力画面とを関連付ける評価項目関連付けデータを予め記憶しておき、前記環境負荷データ入力画面に基づいて入力された環境負荷データを前記評価すべき製品と関連付けて記憶装置にストアし、入力された前記環境負荷データと、前記評価項目毎に予め決められた基準データとを比較して製品アセスメント適合性チェックリストを生成し、前記評価項目関連付けデータに基づき、前記評価すべき製品について入力すべき前記環境負荷データが入力されていない項目があるか否かを判定する。
【００１１】
本発明のプログラムは、環境負荷データの入力を支援するための製品アセスメントデータ入力支援を行うプログラムであって、コンピュータに、環境負荷データ入力画面に基づいて入力された環境負荷データを評価すべき製品と関連付けて記憶装置にストアする機能と、入力された前記環境負荷データと、予め決められた基準データとを比較して製品アセスメント適合性チェックリストを生成する機能と、前記評価すべき製品と、評価項目に対応する前記環境負荷データ入力画面とを関連付ける評価項目関連付けデータに基づき、前記評価すべき製品について入力すべき前記環境負荷データが入力されていない項目があるか否かを判定する機能を実現させる。
【００１２】
本発明の記録媒体は、本発明のプログラムを記録したものである。
【００１３】
このような構成によれば、評価項目が多数あっても、評価項目の環境負荷データの入力漏れがなく、正しい環境負荷評価演算を行われるようにするための製品アセスメントデータ入力支援システムを実現することができる。
【００１４】
また、本発明の製品アセスメントデータ入力支援装置において、さらに、前記環境負荷データ入力判定手段によって、前記評価すべき製品について入力すべき前記環境負荷データが入力されていないと判定された場合、前記環境負荷データが入力されていないことを、表示装置に表示させるための未入力表示手段とを有することが望ましい。
【００１５】
このような構成によれば、ユーザは、評価項目が全て入力されていないことを直ちに理解することができる。
【００１６】
また、本発明の製品アセスメントデータ入力支援装置において、さらに、前記未入力表示手段は、未入力の評価項目に関する前記環境負荷データ入力画面の名称又は識別コードを表示するようにすることが望ましい。
【００１７】
このような構成によれば、ユーザは、何の評価項目が入力されていないかが直ちに理解することができる。
【００１８】
また、本発明の製品アセスメントデータ入力支援装において、前記環境負荷データ入力手段によって入力された前記環境負荷データは、前記製品アセスメント適合性チェックリスト中のデータと関連付けられており、前記製品アセスメント適合性チェックリスト中には、関連付けられた前記環境負荷データと前記基準データに基づいて判定された判定結果データが含まれることが望ましい。
【００１９】
このような構成によれば、ユーザは、各項目について直ちに判定結果を理解することができる。
【００２０】
【発明の実施の形態】
以下、図面を参照して本発明の実施の形態を説明する。
【００２１】
まず図１に基づき、本実施の形態に係わる製品アセスメントデータ入力支援装置の構成を説明する。
【００２２】
図１は、本実施の形態に係わる製品アセスメントデータ入力支援装置の構成を示す構成図である。１は、パーソナルコンピュータ（以下、ＰＣと略す。）であり、キーボード２と、表示装置３と、データをストアする記憶手段としてのメモリ装置４を有して、後述する処理を、内蔵された中央処理装置（ＣＰＵ）によって行う。
【００２３】
ＰＣ１は、企業における環境負荷評価を行う部署に設置されたコンピュータであり、環境負荷データを入力する担当者であるユーザは、キーボード２を用いて各設計部門が設計した各製品について環境負荷データを入力し、各製品の環境負荷値を求め、製品毎の環境負荷評価報告書を作成する。ユーザの入力した環境負荷データと、予め設定された評価基準とが比較されて、評価結果と判定が、ＰＣ１に組み込まれたソフトウエアプログラムによって行われる。そのために、ユーザは、その新しく設計された製品の環境負荷に関するデータを、設計部門、製造部門等から収集してＰＣ１に入力する。なお、ＰＣ１は、各設計部門に設けられ、各設計部門のユーザが環境負荷データを入力してもよい。
【００２４】
図２は、製品アセスメントを行う際の評価項目体系の例を説明するための図である。図２に示すように、製品毎に、評価項目としては、大分類の項目として、「製品」、「製品の梱包」及び「製品の製造」の３つの分類項目がある。「製品」は、製品自体に関する項目であり、中分類の項目として、「消費電力」、「プラスチック部品の材質名表示の有無」、「使用禁止物質の有無」、「化学物質の含有量」等の項目が関連付けられている。「製品の梱包」は、製品を梱包に関する項目であり、「古紙利用率」等の中分類の項目が関連付けられている。「製品の製造」は、製品の製造に関する項目であり、「使用禁止物質の有無」等の中分類の項目が関連付けられている。
【００２５】
そして、評価対象製品について、図２に示すような評価対象製品に関して入力すべき評価項目は予め決められており、評価項目に対応する環境負荷データ入力画面も予め関連付けられているので、ユーザは、これらの全ての評価項目について環境負荷データを入力する。評価対象製品のデータと関連する環境負荷データ入力画面のデータの関連付け情報のデータが、メモリ装置４に予めストアされている。なお、本実施の形態では、ある製品について入力すべき評価項目は、上述した中分類の項目の全てであり、ユーザは、中分類の項目全てについて環境負荷データを入力する。
【００２６】
次に、ユーザが入力する環境負荷データの入力方法について説明する。
【００２７】
ＰＣ１には、複数の製品の環境負荷データがストアされて管理されているので、各環境負荷データを入力する者は、図１に示すＰＣ１を操作して、まず、評価対象の製品を指定する。ユーザは、製品を指定し、さらに、その指定された製品について入力すべき評価項目を指定すると、各項目の入力画面がＰＣ１の表示装置３の画面上に表示される。例えば、ユーザが、中分類の項目である「消費電力」の項目を指定すると、「消費電力」の項目に関する各種データを入力するための画面がＰＣ１の表示装置３上に表示される。
【００２８】
図３及び図４は、液晶パネル製品の環境負荷データ入力画面の例を示す。図３から図６に示す画面は、「ＥＸＣＥＬ」（マイクロソフト社の商品）等の、一般的な表計算ソフトウエアプログラムを用いて作成され、画面上に表示された表（シート）に各種データが入力できるようになっており、かつ入力データを用いた各種演算、複数の表（シート）間でのデータのリンクを取ることができる。データのリンクとは、一つの表（シート）に入力されたデータが、他の表（シート）上の指定されたセルに反映されることをいう。
【００２９】
図３は、液晶パネル製品の評価の中分類の項目である「消費電力」の環境負荷データを入力するときの入力画面の例を示す図である。
図３において、１１は、表示用ウインドウである画面表示枠であり、例えば、ウインドウの枠を示す。１２は、複数のセルを含むデータ入力欄であり、従来品の消費電力のデータと、新製品の消費電力のデータが入力される欄である。
【００３０】
従来品と新製品のぞれぞれについて、液晶装置を含む表示パネルの全面表示時とパーシャル表示時の２つの表示パターンの場合について、消費電力データが、入力される。全画面表示は、通常の使用時の表示状態であり、パーシャル表示時は、例えば、携帯電話のように待機状態における表示状態である。
【００３１】
１３は、入力終了ボタンであり、ユーザはこのボタン１３をクリックすると、データ入力欄１２の各セルに入力されたデータが、メモリ装置４にストアされる。また、１４は、キャンセルボタンであり、ユーザはこのボタン１４をクリックすると、データ入力欄１２に入力されたデータが、メモリ装置４にストアされずに、表示装置３上に表示された図３の画面表示は、消える。
【００３２】
従って、ユーザは、図３の画面を用いて、指定された製品に関する旧製品の消費電力データと、新製品の消費電力データを入力することができる。
【００３３】
図４は、液晶パネル製品の評価の中項目である「使用禁止物質の有無」と「プラスチック部品の材質表示の有無」の環境負荷データを入力するときの入力画面の例を示す図である。
図４において、２１は、表示用ウインドウである画面表示枠であり、例えば、ウインドウの枠を示す。２２は、複数のセルを含むデータ入力欄であり、新製品についてのデータが入力される欄である。ここでは、製品に使用される各種の部品について、各項目として、製造者を示すメーカ２２、部品名２３、メーカ証明の有無２４、プラスチック部品か否か２５、プラスチック材質名表示の有無２６についてのデータが、データ入力欄２７に入力される。メーカ証明は、メーカが、その部品に使用されている物質には、使用禁止となっている物質がないことを証明する書類である。従って、メーカ証明の有無の項目２４が「有」の部品は、使用禁止物質が使われていないことを意味する。また、プラスチック部品か否かの項目２５が「ＹＥＳ」の場合、さらにプラスチック材質名表示の有無の項目２６の欄に表示の有無が入力される。
【００３４】
図４において、メーカ「Ａ」が提供する部品名「ＩＣ（ＡＡＡ００１）については、メーカ証明が有り、プラスチック部品ではないことが示されている。なお、「−」は、対応するデータは不要であることを示す。例えば、プラスチック部品か否かの項目２５が「ＮＯ」の場合は、プラスチック材質名表示の有無の項目２６は意味がないので、「−」となる。
【００３５】
２８は、入力終了ボタンであり、ユーザはこのボタン２８をクリックすると、データ入力欄２７の各セルに入力されたデータが、メモリ装置４にストアされる。また、２９は、キャンセルボタンであり、ユーザはこのボタン２９をクリックすると、データ入力欄２７に入力されたデータが、メモリ装置４にストアされずに、表示装置３上に表示された図４の画面表示は、消える。
【００３６】
従って、ユーザは、図４の画面を用いて、指定された製品に関する「使用禁止物質の有無」と「プラスチック部品の材質表示の有無」の環境負荷データを入力することができる。同様にして、ユーザは、「製品」という大分類の中の、他の中分類の項目についても環境負荷データを入力する。
【００３７】
また、製品設計時に製品アセスメントは実施されるので、新しく設計された製品の製造工程における各種実測データは未だない。しかし、新製品の製造は、従来製品とた全く同じ製造工程を利用したり、類似の工程を利用する場合もあるので、従来製品の製造工程における過去の実測データを、環境負荷データとして使用して入力することができる。
【００３８】
従って、各工程において使用される化学物質の量、使用禁止物質の有無等のデータを、各工程における化学物質の購入実績データ、すなわち過去のデータから予め得ておく。そして、その過去のデータに基づいて、製品１個を製造するのにしようされる化学物質等の使用量を計算しておきデータベースに登録しておく。各製品の製造工程の各工程について、過去の実績データとして、どのような化学物質が使用され、その使用量と、製品１個製造するのに使用される化学物質等の量がデータベース化されているので、新製品において、過去に設計されて製造されている、あるは製造されていた従来製品と同じあるいは類似の工程を使用する場合、その従来製品の工程データを「製品の製造」に関する項目データとして使用する。
【００３９】
図５は、製造工程における評価項目のデータ入力画面の例を示す図である。ユーザは、評価対象の製品が製造時に使用する工程における環境負荷データを、従来製品の製造工程における環境負荷データの中から選択すると、図５に示す画面が、ＰＣ１の表示装置３上に表示される。
【００４０】
図５において、３１は、表示用ウインドウである画面表示枠である。表示されるデータは表形式データであり、項目として、使用される物質である薬品名３２、含有物質３３、使用の有無３４、使用量３５、製品１個当たりの使用量３６を有し、夫々の項目についてデータが表示されている。使用される物質の使用量の項目３５のデータは、予め決められた期間、例えば直前の過去の６ケ月間の購入実績により求められる。３９は、入力終了ボタンであり、ユーザはこのボタン３９をクリックすると、データ入力欄３７等に入力されたデータが、メモリ装置４にストアされる。また、４０は、キャンセルボタンであり、ユーザはこのボタン４０をクリックすると、データ入力欄３７等に入力されたデータが、メモリ装置４にストアされずに、表示装置３上に表示された図５の画面表示は、消える。
【００４１】
図５の例では、その工程では、薬品「Ａ」、「Ｂ」等が使用され、各薬品毎に含有物質と、その使用の有無、使用量及び製品１個当たりの使用量が表示される。たとえば、薬品「Ａ」は、含有物質として、ａ１、ａ２、・・を含み、各含有物質ａ１、ａ２は使用しており、含有物質ａ１とａ２の使用量がそれぞれ１００ｇと５０ｇであり、製品１個当たりの使用量がそれぞれ１００ｍｇる５０ｍｇであることが、使用薬品表示部３７に示されている。同様に、薬品「Ｂ」については、使用薬品表示部３８に示される。
【００４２】
このように、評価対象製品の「製品の製造」に関する環境負荷データが、過去の実績データを用いて、工程毎に入力される。評価対象製品の他の工程についても、過去の実績データを用いて、同様に工程毎に入力される。
【００４３】
「製品の梱包」の大分類に関する中分類の評価項目についても、各環境負荷データが入力される。
【００４４】
以上のようにして、製品アセスメントすべき製品について、評価項目を全て入力すると、図６に示すような環境適合性チェックリストを、ユーザは参照する。この環境適合性チェックリストの表も、上述した表計算ソフトウエアプログラムによって生成されている。環境適合性チェックリストの表は、図３から図５に示した表等の環境負荷データ入力用の表とリンクしている。従って、環境適合性チェックリストの表の各セルに表示されるデータは、環境負荷評価の各項目についての図３から図５に示したようなデータ入力画面において入力された環境負荷データ、あるいはその入力された環境負荷データに対して予め決められた処理を行ったデータである。
【００４５】
図６は、環境適合性チェックリストの画面例を示す図である。ユーザは、上述したような画面を用いて、各評価項目データを入力すると、表計算ソフトウエアのリンク機能によって、図６は、環境適合性チェックリスト中の各セルに、データがコピーあるいは処理されて表示される。従って、ユーザが、図６の環境適合性チェックリストの表示をＰＣ１に指示すると、ＰＣ１は、入力された環境負荷データに基づいて環境適合性チェックリストを生成し、ＰＣ１の表示装置の画面上にそのリストを表示する。
【００４６】
図６において、４１は、表示用ウインドウである画面表示枠である。図６の環境適合性チェックリストは、その表示されるデータは表形式データであり、各大分類の項目毎の評価結果表示部を有する。環境適合性チェックリストは、項目として、大分類４１、中分類の評価項目４２、各評価項目の評価基準４３、評価結果４４、及び判定４５の項目を有する。評価項目４３に対応した環境負荷評価結果４５と判定４６が、評価基準４４と共に表示される。４７は、「製品」という大分類の項目に関する環境負荷評価結果表示部であり、４８は、「製品の梱包」という大分類の項目に関する環境負荷評価結果表示部であり、４９は、「製品の製造」という大分類の項目に関する環境負荷評価結果表示部である。評価基準４３の項目に示されるデータは、評価項目毎に予め決められて設定されている。
【００４７】
図６において、５０は、戻るボタンであり、ユーザはこのボタン５０をクリックすると、表示装置３上に表示された図６の画面表示は、消える。
【００４８】
図６において、例えば、「消費電力」という中分類の評価項目は、評価基準が「１００％以下」であることが示されており、評価結果は、「０．８３」であり、判定は「○」であることが示されている。それは、「消費電力」についての図３の環境負荷データ入力画面により入力されたデータ「１００」と「１２０」を用いて、図６の評価結果のセルにおいて「１００／１２０」が演算されて「０．８３」というデータを評価結果４５の対応するセルに表示し、さらに、評価基準「１００％以下」というデータと、「０．８３」のデータを比較演算して、「０．８３」が評価基準のデータ「１００％以下」を満足するので、「○」という判定結果データを評価結果４６の対応するセルに表示している。同様の処理が、他の全ての評価項目について実行されて、最終的な演算結果が、図６の環境適合性チェックリストに表示されている。
【００４９】
従来では、環境適合性チェックリストに全ての評価項目についてデータが入力されていない場合、図６の環境適合性チェックリストを最終判定結果として勘違いしてしまうことがあった。
【００５０】
上述したように、評価すべき製品について、図２に示すような評価対象製品に関して入力すべき評価項目は予め決められており、評価項目に対応する環境負荷データ入力画面も予め関連付けられている。従って、予め決められた評価項目についてデータが入力されていない表（シート）があれば、図６の環境適合性チェックリストの表示画面上に表示したときに、未入力の表（シート）があること示す表示部を画面上に、例えば、ポップアップウインドウ等に表示する。
【００５１】
図７は、その未入力の表（シート）があること示す表示部の例を示す図である。図７の（ａ）から（ｃ）は、表示用ウインドウである未入力表示枠５１に表示される、ポップアップウインドウ枠である未入力表示部の表示内容の例をそれぞれ示し、５１は、未入力の項目数を表示する。図７の（ａ）は、「４０項目のうち、３項目が未入力です。」という未入力の項目数を表示する未入力表示部の例を示す。図７の（ｂ）は、「３３％の項目が未入力です。」という未入力の項目数の割合を表示する未入力表示部の例を示す。図７の（ｃ）は、「未入力の評価項目があります。」という未入力の項目がある旨のみを表示する未入力表示部の例を示す。未入力表示部の表示によって、ユーザは、評価項目が全て入力されていないことを直ちに理解することができる。さらに、未入力の評価項目に関する入力画面となる表（シート）の名称又は識別コードも表示するようにすると、ユーザは、何の評価項目が入力されていないかが直ちに理解することができる。
【００５２】
なお、全ての評価項目が入力されていれば、ユーザは、図６に示す環境適合性チェックリストを最終データとして、製品毎の環境負荷評価報告書を作成することができる。ユーザは、最終データとしての環境適合性チェックリストにおいて、判定項目４６に基準を満たしていないデータ、例えば「×」が表示されていれば、その製品は、再設計されるべきものであることが容易に解る。
【００５３】
次に、ＰＣ１の処理の流れについて説明する。
図８は、上述した動作を実行する処理の流れを示すフローチャートである。図８の処理は、ユーザがＰＣ１に対して図６に示す画面を表示する指示を行ったときに、実行される。まず、図２に示すような評価対象製品と、その評価項目に対応する環境負荷データ入力画面の関連付け情報に基づいて、全評価項目の入力が終了しているかを判定する（ステップ（以下、Ｓと略す。）１）。各評価項目について入力が終了しているか否かの判定は、評価項目に対応する環境負荷データ入力画面に関するデータがメモリ装置４にストアされているか否かによって判定される。例えば、図３の環境負荷データ入力画面の場合、データ入力部１２に入力されるべきデータがメモリ装置４にストアされているか否かによって、その各評価項目のデータの入力終了が判定される。
【００５４】
Ｓ１において、全評価項目の入力が終了していると判定された場合、Ｓ１においてＹＥＳとなって、図６に示す製品アセスメント適合性チェックリストを表示する（Ｓ２）。Ｓ１において、全評価項目の入力が終了していないと判定された場合、Ｓ１においてＮＯとなって、図７に示すような未入力項目があることを示す表示を行う（Ｓ３）。図７の（ａ）から（ｃ）のいずれかに示すようなポップアップ画面が表示される。Ｓ３の処理の後、Ｓ２の処理へ移行し、製品アセスメント適合性チェックリストを表示する（Ｓ２）。
【００５５】
以上のように、ユーザは、製品アセスメント適合性チェックリストを表示させたときに、未入力の評価項目があることを知ることができるので、表示された環境適合性チェックリストを最終判定結果として勘違いしてしまうことがなくなる。
【００５６】
以上の説明では、説明を簡単にするために、評価項目数は少ないが、数十個の入力すべき評価項目数がある場合、全ての評価項目についてのデータが入力された環境適合性チェックリストであることを、ユーザは容易に知ることができる。
【００５７】
また、上述した製品アセスメントデータ入力支援装置は、図１のＰＣ１内に実現されていたが、変形例としてネットワークを利用したシステムとして実現してもよい。
図９は、本実施の形態に関わる製品アセスメントデータ入力支援装置の変形例の構成を示す図である。すなわち、図９に示すように、インターネット５３に接続されたセンタ装置としてのウエブサーバ装置５１とそれに接続されたメモリ装置５２に、図１から図８に示した処理機能とデータストア機能を保持する。インターネット５３に接続された他のＰＣ５４は、ウエブサーバ５１に対して、図３から図５に示すような環境負荷データを入力するための画面表示要求のためのコマンドを送信し、その表示された画面に対してデータを入力した後、ウエブサーバ５１に入力データを送信し、メモリ装置５２へにデータをストアさせる。そして、ウエブサーバ装置５１は、ＰＣ５４からの図６に示すような製品アセスメント適合性チェックリストの表示要求があると、図８の処理を実行して、ユーザに製品アセスメント適合性チェックリストの表示データを送信すると共に、未入力の評価項目データがあるか否かのデータも送信する。このような構成にすれば、企業内の関連する種々の部署において、環境負荷データの入力を行うことができる。
【００５８】
このように、図１に示した独立したＰＣに内蔵されたソフトウエアプログラム、あるいは図８に示したような各ＰＣからネットワークを介する通信手段によって、環境負荷データの入力手段は構成することができる。
本明細書における各「部」は、実施の形態の各機能に対応する概念的なもので、必ずしも特定のハードウエアやソフトウエア・ルーチンに１対１には対応しない。従って、本明細書では、以下、実施の形態の各機能を有する仮想的回路ブロック（部）を想定して実施の形態を説明する。また、本実施の形態における各手順の各ステップは、その性質に反しない限り、実行順序を変更し、複数同時に実行し、あるいは実行毎に異なった順序で実行してもよい。
【００５９】
なお、以上説明した動作を実行するプログラムは、フロッピー（登録商標）ディスク、ＣＤ−ＲＯＭ等の可搬媒体や、ハードディスク等の記憶装置等に、その全体あるいは一部が記録され、あるいは記憶されている。そのプログラムがコンピュータにより読み取られて、動作の全部あるいは一部が実行される。あるいは、そのプログラムの全体あるいは一部を通信ネットワークを介して流通または提供することができる。利用者は、通信ネットワークを介してそのプログラムをダウンロードしてコンピュータにインストールしたり、あるいは記録媒体からコンピュータにインストールすることで、容易に本発明の製品アセスメントデータ入力支援システムを実現することができる。
【００６０】
本発明は、上述した実施の形態に限定されるものではなく、本発明の要旨を変えない範囲において、種々の変更、改変等が可能である。
【図面の簡単な説明】
【図１】本実施の形態に係わる製品アセスメントデータ入力支援装置の構成図。
【図２】評価項目体系の例を説明するための図。
【図３】評価データを入力するときの入力画面の例を示す図。
【図４】評価データを入力するときの入力画面の例を示す図。
【図５】製造工程における評価項目のデータ入力画面の例を示す図。
【図６】環境適合性チェックリストの画面例を示す図。
【図７】未入力の表があること示す表示部の例を示す図。
【図８】本実施の形態の動作を実行する処理の流れを示すフローチャート。
【図９】製品アセスメントデータ入力支援装置の変形例の構成を示す図。
【符号の説明】
１，５４　ＰＣ
２　キーボード
３　表示装置
４，５２　メモリ装置
５１　ウエブサーバ
５３　インターネット
【図１】
2004110674.tif 000003
【図２】
2004110674.tif 000004
【図３】
2004110674.tif 000005
【図４】
2004110674.tif 000006
【図５】
2004110674.tif 000007
【図６】
2004110674.tif 000008
【図７】
2004110674.tif 000009
【図８】
2004110674.tif 000010
【図９】
2004110674.tif 000011